(57)【要約】【課題】保護部品が機能損失している場合に早期に修理して、電気部品を確実に保護することが出来る室外機を備える空気調和機を提供する。【解決手段】プリント基板１０にヒューズ１１を含む電気部品を搭載した電装組品基板１３を、電気部品が搭載されていない方の面を室外機１の天板８側に向けた状態で、室外機１の上部内側に設けられた電気部品箱９内に取り付ける。プリント基板１０には、ヒューズ１１がプリント基板１０に取り付けられる位置に、ヒューズ１１の長手方向に長手方向を一致させて、平面視が矩形であり、プリント基板１０を貫通するスリット１０ｂが設けられている。【選択図】図２
2007163098.tif 000002
【特許請求の範囲】
【請求項１】
その上面又は側面に開口部を有する室外機を備えており、プリント基板の一面に、電気部品、及び該電気部品を保護する保護部品を搭載してある電装組品基板を、前記プリント基板の他面を前記開口部に対向させて、前記室外機に収納してある空気調和機において、  前記プリント基板の保護部品を搭載してある位置に、プリント基板を貫通する孔を設けてあることを特徴とする空気調和機。
【請求項２】
前記保護部品は、ヒューズである請求項１に記載の空気調和機。
【請求項３】
前記保護部品は、バリスタである請求項１に記載の空気調和機。
【発明の詳細な説明】
【技術分野】
【０００１】
本発明は、本体と室外機とが分離している空気調和機に関する。
【背景技術】
【０００２】
図１０は、従来の空気調和機の室外機２１を示す縦断面図である。
室外機２１は直方体状であり、室外機２１の金属製の底板２２には、金属製の仕切り板２３が立設されている。この仕切り板２３によって、室外機２１は、送風機２４及び熱交換機（図示せず）を有する送風機室２５と、圧縮機２６を有する機械室２７とに仕切られている。仕切り板２３は、室外機２１の略５分の４の高さを有している。機械室２７の上部には、金属板で覆われた合成樹脂製の電気部品箱２９が設けられている。電気部品箱２９は、その底部が仕切り板２３の上端面に当接されており、電気部品箱２９の上部には、仕切り板２３を越えて送風機室２５内に突出させられた突出部２９ａを備えている。
【０００３】
電気部品箱２９の機械室２７側には、プリント基板３０にヒューズ３１、コンデンサ３２等の運転制御素子が搭載された電装組品基板３３が、部品等が搭載されている面を下に向け、他面を天板２８に向けた状態で取り付けられている。電気部品箱２９の突出部２９ａには、ヒートシンク３５が取り付けられている。ヒートシンク３５の一面には、フィン３５ａ，３５ａ…が垂設されており、他面には、パワートランジスタ３４、整流器（図示せず）等の使用時に比較的大きな発熱を伴う電気部品が搭載されている。ヒートシンク３５は、突出部２９ａの底面からフィン３５ａ，３５ａ…を下側に突出させた状態で、突出部２９ａに取り付けられている。
【０００４】
特許文献１には、ヒートシンク３５が、突出部２９ａの底面に設けた開口部の内周に沿って所定の隙間を設けて貫設され、開口部の内寸よりヒートシンク３５の外寸が所定量大きくなるようにヒートシンク３５の一部の外形を延出させることで、従来、必要とされていた、開口部の雨水侵入防止カバーを省略した発明について開示されている。
【特許文献１】特開２００４−１２５２６０号公報
【発明の開示】
【発明が解決しようとする課題】
【０００５】
上述したように、電装組品基板３３は、電気部品のリード線等を半田付けする面が上を、電気部品が実装された面が下を向くように電気部品箱２９に取り付けられることが多い。従って、サービスマンが修理のために、空気調和機の室外機２１の天板２８を外し、上側から、すなわち半田面側から、電装組品基板３３を覗いた状態では、電装組品基板３３上の電気部品、特に、ヒューズ３１等の、電気部品を保護する部品の状態を見ることが難しい。そのため、ヒューズ３１等が破損していても、容易に気づくことができないという問題があった。
【０００６】
本発明は斯かる事情に鑑みてなされたものであり、プリント基板の保護部品を搭載する位置に、プリント基板を貫通する孔を設けることにより、サービスマンが修理をするとき等に、保護部品の機能喪失の有無を容易に判断することが出来、保護部品が機能を喪失している場合には早期に修理を行って、電気部品を確実に保護することが出来る室外機を備える空気調和機を提供することを目的とする。
【課題を解決するための手段】
【０００７】
本発明の空気調和機は、その上面又は側面に開口部を有する室外機を備えており、プリント基板の一面に、電気部品、及び該電気部品を保護する保護部品を搭載してある電装組品基板を、前記プリント基板の他面を前記開口部に対向させて、前記室外機に収納してある空気調和機において、前記プリント基板の保護部品を搭載してある位置に、プリント基板を貫通する孔を設けてあることを特徴とする。
本発明においては、孔から覗き見ることにより、保護部品の状態を容易に認識することが出来る。これにより、サービスマンが修理をする場合等において、保護部品の機能喪失の有無を確実に判断することが出来、保護部品が破損等により機能を喪失している場合には早期に修理を行い、修理時間を短縮することが出来る。
【０００８】
本発明の空気調和機は、前記保護部品がヒューズであることを特徴とする。
本発明においては、孔から覗き見てヒューズのエレメントの破壊又は断線の有無を判断することで、容易に修理の必要性の有無を判断することが出来、修理が必要である場合には早期に修理を行って、電気回路に過大な電流が流れるのを防止することが出来る。
【０００９】
本発明の空気調和機は、前記保護部品がバリスタであることを特徴とする。
本発明においては、バリスタのケーシングのひび割れ又は焦げ等の発生の有無を判断することで、容易に修理の必要性の有無を判断することが出来、修理が必要である場合には早期に修理を行って、電気回路の安定化を図ることが出来る。
【発明の効果】
【００１０】
本発明によれば、孔から覗き見ることにより、保護部品の状態を容易に認識することが出来、サービスマンが修理をする場合等において、保護部品の機能喪失の有無を確実に判断することが出来る。従って、保護部品が破損等により機能を喪失している場合には早期に修理を行って、修理時間を短縮することが出来、電気部品を保護することが出来る。
【発明を実施するための最良の形態】
【００１１】
以下、本発明をその実施の形態を示す図面に基づき具体的に説明する。
実施の形態１．
図１は、本発明の実施の形態１に係る空気調和機の室外機１を示す斜視図、図２は図１のII-II 線断面図である。
室外機１の金属製の底板２には、室外機１が、正面視で幅方向に略２対１に仕切られるように金属製の仕切り板３が立設されている。この仕切り板３によって、幅の広い方が、送風機４と熱交換機（図示せず）とを有する送風機室５とされ、幅の狭い方が、圧縮機６を有する機械室７とされる。仕切り板３は、室外機１の合成樹脂製の天板８までは到達せず、室外機１の略５分の４の高さを有している。機械室７の上部には、金属板で覆われた合成樹脂製の電気部品箱９が設けられている。電気部品箱９は、底部が仕切り板３の上端面に当接しており、上部は開口している。電気部品箱９の上部には、仕切り板３を越えて送風機室５内に突出させた突出部９ａが設けられている。
【００１２】
電気部品箱９の機械室７側には、プリント基板１０にヒューズ１１、コンデンサ１２等の運転制御素子としての電気部品が搭載された電装組品基板１３が、電気部品等が搭載されている側の面を下に向け、反対側の面を天板８に向けた状態で取り付けられている。電気部品箱９の突出部９ａには、ヒートシンク１５が取り付けられている。ヒートシンク１５の一面には、フィン１５ａ，１５ａ…が垂設されており、他面には、パワートランジスタ１４、整流器（図示せず）等が搭載されている。ヒートシンク１５は、突出部９ａの底面に設けられた開口部からフィン１５ａ，１５ａ…を下側に突出させ、前記一面の周縁部が前記開口部の周縁外側で突出部９ａの底面に係止した状態で、突出部９ａに取り付けられている。このフィン１５ａ，１５ａ…が送風機４の送風を受けることで、他面に搭載されたパワートランジスタ１４等が冷却される。
【００１３】
図３は、電装組品基板１３を示す斜視図であり、図４は、電装組品基板１３を示す裏面図、図５は、図３のV-V 線断面図である。
ヒューズ１１のガラス管部１１ａには、エレメント１１ｂが内蔵されており、ガラス管部１１ａの両端面には、金属製の端子１１ｃ，１１ｃが接続されている。端子１１ｃ，１１ｃにはリード線１１ｄ，１１ｄが接続されており、リード線１１ｄ，１１ｄは、プリント基板１０に設けられた貫通孔１０ａ，１０ａを貫通させられ、プリント基板１０の他面側において、半田１６，１６によりプリント基板１０に固定されている。
【００１４】
プリント基板１０には、ヒューズ１１がプリント基板１０に取り付けられるときにガラス管部１１ａと対向する位置に、ガラス管部１１ａの長手方向に長手方向を一致させて、平面視が矩形であり、プリント基板１０を貫通するスリット１０ｂが設けられている。
【００１５】
ヒューズ１１に過電流が流れた場合には、ガラス管部１１ａ内のエレメント１１ｂが溶けて電気回路が遮断される。
本実施形態においては、電装組品基板１３を、プリント基板１０のリード線１１ｄ，１１ｄが半田付けされている側を天板８に対向させて電気部品箱９に取り付けているので、天板８を取り外すことで、スリット１０ｂからエレメント１１ｂの破壊状況又は断線状況を確認することができる。従って、サービスマン等が容易に修理の必要性の有無を判断することが出来、修理が必要である場合には早期に修理を行って、電気回路に過大な電流が流れるのを防止することが出来る。
【００１６】
前記実施形態においては、ヒューズ１１の長手方向に長手方向を一致させて、平面視が矩形であるスリット１０ｂをプリント基板１０に設けた場合につき説明しているが、これに限定されない。
図６は、長手方向をヒューズ１１の長手方向に直交する方向に一致させて、平面視が矩形であるスリット１０ｃをプリント基板１０に設けた場合を示す裏面図である。
図７は、平面視が円形であるスリット１０ｄをプリント基板１０に設けた場合を示す裏面図である。
いずれの場合も、スリット１０ｃ又はスリット１０ｄから覗き見ることにより、エレメント１１ｂの破壊状況又は断線状況を容易に確認して、修理の必要性の有無を確実に判断することが出来る。
【００１７】
また、前記実施形態においては、ヒューズ１１のリード線１１ｄ，１１ｄをプリント基板１０に貫通させて、ヒューズ１１をプリント基板１０に取り付ける場合につき説明しているがこれに限定されず、ヒューズクリップによりヒューズ１１をプリント基板１０に取り付けることにしてもよい。
【００１８】
さらに、前記実施形態においては、電装組品基板１３の裏面を天板８側に向けて電装組品基板１３を電気部品箱９内に取り付ける場合につき説明しているが、室外機１の側面に開口部を設け、この開口部に臨ませて電気部品箱９を取り付け、電装組品基板１３の裏面を開口部側に向けて電装組品基板１３を電気部品箱９内に取り付けることにしてもよい。この場合も、プリント基板１０に設けられたスリットを覗き見ることにより、修理の必要性の有無を確実に判断することが出来る。
【００１９】
実施の形態２．
図８は、実施の形態２に係る室外機に備えられる電装組品基板１３を示す斜視図である。図中、図３と同一部分は同一符号を付してある。
バリスタ１７の円板状の本体ケーシング１７ａの側面下部には、リード部１７ｂ，１７ｂが設けられており、リード部１７ｂ，１７ｂはプリント基板１０に固定されている。
【００２０】
プリント基板１０には、バリスタ１７がプリント基板１０に取り付けられるときにバリスタ本体ケーシング１７ａと対向する位置において、プリント基板１０の長手方向と直交する方向に長手方向を一致させて、平面視が矩形であり、プリント基板１０を貫通するスリット１０ｅが設けられている。
【００２１】
バリスタ１７に過電圧が印加された場合には、バリスタ１７はショート破壊するが、このときに本体ケーシング１７ａにひび割れ又は焦げが生じることが多い。
【００２２】
本実施形態においては、電装組品基板１３を、プリント基板１０の電気部品のリード線等が半田付けされている側を天板８に対向させて電気部品箱９に取り付けるので、天板８を取り外すことで、スリット１０ｅからバリスタ本体ケーシング１７ａにひび割れ又は焦げ等の異常が生じていないか否かを判断することが出来る。
図９は、他のスリット１０ｆを設けた場合を示す電装組品基板１３の斜視図である。図中、図８と同一部分は同一符号を付してある。スリット１０ｆは、図８の矩形状のスリット１０ｅの短辺側に、このスリットの長手方向に直交する方向に長軸を有する楕円状のスリットを連設してなる。前記長軸は、本体ケーシング１７ａの直径より大きくしてある。このスリット１０ｆは、幅が、バリスタ１７のリード部１７ｂ間の距離より短い、図８のスリット１０ｅでは視認が容易でない場合に設けられる。
前記スリット１０ｅ及び１０ｆをプリント基板１０に設けることにより、容易に修理の必要性の有無を判断することが出来、修理が必要である場合には早期に修理を行って、電気回路の安定化を図ることが出来る。
【００２３】
前記実施の形態１においては、保護部品としてヒューズ１１を適用した場合、前記実施の形態２においては、保護部品としてバリスタ１７を適用した場合につき説明しているが、保護部品はこれらに限定されない。
【図面の簡単な説明】
【００２４】
【図１】本発明の実施の形態１に係る空気調和機の室外機を示す斜視図である。
【図２】図１のII-II 線断面図である。
【図３】電装組品基板を示す斜視図である。
【図４】電装組品基板を示す裏面図である。
【図５】図３のV-V 線断面図である。
【図６】平面視が矩形であるスリットをプリント基板に設けた場合を示す裏面図である。
【図７】平面視が円形であるスリットをプリント基板に設けた場合を示す裏面図である。
【図８】実施の形態２に係る室外機に備えられる電装組品基板を示す斜視図である。
【図９】他のスリットを設けた場合を示す電装組品基板の斜視図である。
【図１０】従来の空気調和機の室外機を示す縦断面図である。
【符号の説明】
【００２５】
１  室外機
２  底板
３  仕切り板
４  送風機
５  送風機室
６  圧縮機
７  機械室
８  天板
９  電気部品箱
１０  プリント基板
１０ｂ、１０ｃ、１０ｄ、１０ｅ、１０ｆ  スリット
１１  ヒューズ
１１ａ  ガラス管部
１１ｂ  エレメント
１１ｃ  端子
１１ｄ  リード線
１２  コンデンサ
１３  電装組品基板
１４  パワートランジスタ
１５  ヒートシンク
１５ａ  フィン
１７  バリスタ
１７ａ  本体ケーシング
１７ｂ  リード部
【図１】
2007163098.tif 000003
【図２】
2007163098.tif 000004
【図３】
2007163098.tif 000005
【図４】
2007163098.tif 000006
【図５】
2007163098.tif 000007
【図６】
2007163098.tif 000008
【図７】
2007163098.tif 000009
【図８】
2007163098.tif 000010
【図９】
2007163098.tif 000011
【図１０】
2007163098.tif 000012